(57)【要約】【課題】  広告主の該当商品に合うターゲッティング広告が効果的になされ、メンバーシップオフライン売場の広報効果及び顧客訪問の増加が売上げ増加につながるようにするために、ウェブページ上でのバナー形態の広告により選別された顧客に対してオフライン売場で商品サンプルを支給するように広告するインターネット広告方法及びシステムを提供する。【解決手段】  本発明のインターネット広告方法は、サンプル支給と関連した情報を含む広告を提供する段階と、広告を選択してサンプルを要求する顧客端末から顧客のログイン情報を受信し、ターゲット顧客であるか否かを判断する段階と、判断結果によって顧客端末にサンプル申込様式を提供する段階と、顧客端末からの申込様式の作成完了通知に応答して、顧客端末に対してオフライン売場で広告の商品に対するサンプルを支給するための認証キーを生成する段階を含む。【選択図】  図３
2009238220.tif 000002
【特許請求の範囲】
【請求項１】
サンプル支給と関連した情報を含む広告を提供する段階と、
前記広告を選択してサンプルを要求する顧客端末から顧客のログイン情報を受信し、ターゲット顧客であるか否かを判断する段階と、
前記判断結果によって前記顧客端末にサンプル申込様式を提供する段階と、
前記顧客端末からの前記サンプル申込様式の作成完了通知に応答して、前記顧客端末に対してオフライン売場で前記広告の商品に対するサンプルを支給するための認証キーを生成する段階を含むことを特徴とするインターネット広告方法。
【請求項２】
前記広告を提供する段階の前に、広告主がターゲット顧客をあらかじめ選別して指定するターゲット情報プロファイルをデータベースに登録する段階を含み、
前記ターゲット顧客であるか否かを判断する段階は、前記ターゲット情報プロファイルと前記顧客端末からのログイン情報に基づく会員情報とを比較し、前記判断を行う段階を含むことを特徴とする請求項１に記載のインターネット広告方法。
【請求項３】
前記ターゲット情報プロファイルは、サンプル支給対象として定めた顧客の性別、年齢、及び端末接続地域のうちいずれか１つ以上の情報を含むことを特徴とする請求項２に記載のインターネット広告方法。
【請求項４】
前記登録する段階は、前記データベースに少なくとも１つ以上のオフライン売場に関する情報を登録する段階を含み、
前記認証キーを生成する段階の前に、前記顧客端末に前記オフライン売場に関する情報を、サンプル申込様式を用いて提供し、前記顧客端末を通じて前記サンプル申込様式の作成時に前記広告の商品に対するサンプルを支給するオフライン売場を選択する段階を含むことを特徴とする請求項２に記載のインターネット広告方法。
【請求項５】
前記認証キーを生成する段階の後に、加盟店の端末からの前記認証キーに対する確認要求に応答して、認証成功可否を前記加盟店の端末に通知する段階を含むことを特徴とする請求項１に記載のインターネット広告方法。
【請求項６】
前記加盟店の端末は、ＶＡＮ、オープンマーケット販売者管理システム、ＰＯＳ、ＡＲＳ、携帯電話及びバーコードリーダーのうちいずれか１つ以上の手段を用いて前記顧客端末に通知された前記認証キーを入力し、前記認証キーに対する確認要求をサーバーに伝送するか、または、
前記いずれか１つ以上の手段を用いてメンバーシップ会員情報を入力し、前記サーバーで管理されている前記認証キーに対する確認要求を前記サーバーに伝送することを特徴とする請求項５に記載のインターネット広告方法。
【請求項７】
前記通知する段階の後に、前記オフライン売場に訪問した顧客に前記サンプルを支給した内訳を含むサンプル支給完了通知を、前記加盟店の端末から受信する段階を含むことを特徴とする請求項５に記載のインターネット広告方法。
【請求項８】
前記受信する段階の後に、手数料契約によって広告費を精算する段階を含むことを特徴とする請求項７に記載のインターネット広告方法。
【請求項９】
前記手数料契約は、前記認証キーを生成する時または前記認証キーを認証する時を基礎とした認証キー発給数または前記オフライン売場でサンプルを支給する時を基礎としたサンプル支給数に基づいて、手数料を決定することを特徴とする請求項８に記載のインターネット広告方法。
【請求項１０】
前記インターネット広告方法は、販売者の商品登録、購買者の商品購買及び決済された商品に対する配送処理を中継するオンラインマーケットで利用されることを特徴とする請求項１に記載のインターネット広告方法。
【請求項１１】
請求項１乃至１０のいずれかに記載の方法を行うためのコンピューターで読み取り可能なプログラムを記録した記録媒体。
【請求項１２】
サンプル支給と関連した情報を含むターゲット広告を提供するターゲット広告管理部と、
前記ターゲット広告を選択してサンプルを要求する顧客端末に対してオフライン売場で前記広告の商品に対するサンプルを支給するための認証キーを生成する認証キー生成部を含むことを特徴とするインターネット広告システム。
【請求項１３】
広告主がターゲット顧客をあらかじめ選別して指定するターゲット情報プロファイル、少なくとも１つ以上のオフライン売場に関する情報及び前記サンプルの要求のためのサンプル申込様式のうちいずれか１つ以上を管理するデータベースをさらに含み、
前記ターゲット広告管理部が、前記顧客端末に提供する前記サンプル申込様式に前記オフライン売場に関する情報を含めて伝送し、前記顧客端末から前記広告の商品に対するサンプルを支給されるオフライン売場が選択されて表示されたサンプル申込様式の作成完了通知を受信すると、前記認証キー生成部が前記認証キーを生成することを特徴とする請求項１２に記載のインターネット広告システム。
【請求項１４】
前記認証キー生成部は、前記サンプルの要求時に前記顧客端末にログインを要求し、前記要求によって受信される前記顧客端末からのログイン情報に基づく会員情報を前記ターゲット情報プロファイルと比較し、前記ターゲット顧客であると判断すると、前記ターゲット広告管理部が前記顧客端末に前記サンプル申込様式を提供することを特徴とする請求項１３に記載のインターネット広告システム。
【請求項１５】
加盟店の端末からの前記認証キーに対する確認要求に応答して、認証成功可否を前記加盟店の端末に通知するサンプル受領認証部をさらに含むことを特徴とする請求項１２に記載のインターネット広告システム。
【請求項１６】
前記認証が成功する場合に、前記オフライン売場に訪問した顧客に前記サンプルを支給した内訳を含むサンプル支給完了通知を前記加盟店の端末から受信すると、手数料契約によって広告費を精算する広告費精算部をさらに含むことを特徴とする請求項１５に記載のインターネット広告システム。
【発明の詳細な説明】
【技術分野】
【０００１】
本発明は、インターネット広告方法及びシステムに関する。特に、インターネットショッピングモールのようなオンラインマーケットなどのウェブページ上で、バナー形態などを用いて広告するにあたって、選別された顧客をターゲットとしてメンバーシップオフライン売場で商品サンプルを支給することができる認証キーを発給することによって、広告主は、サンプルを配送しなくても、サンプルを受けた後に購買しようとする顧客のニーズを便利に充足させることができ、広告主の商品に合うターゲッティング広告が効果的になされ、メンバーシップオフライン売場の広報効果はもちろん、顧客訪問の増加が売上げ増加につながるようにすることができるインターネット広告方法及びシステムに関する。
【背景技術】
【０００２】
インターネットショッピングモールなど数多くのインターネット上のウェブサイトには、広告主が商品を広報するためのバナー形態の広告が乱立している。このような広告は、顧客がその内容を読むとともに視認するようにして購買意思を促進させようとしている。しかしながら、大部分の広告は、広告内容を充分に説明しないか、または誇張広告などが多いため、顧客は、実際商品と広告内容との差異を疑って気経に購買行動を起こさない。このような慣行は、顧客の大部分が広告を用心深く見ようとせず、素通りしてしまう実情を生み出している。
【０００３】
例えば、購買者は、オンラインマーケットにおいて、図１に示すような方法で商品を購買するようになる。
購買者は、必要な商品を購入するためにインターネット上のショッピングモールなどオンラインマーケットを見回しながら、購入しようとする商品と関連した広告に関心を持ってその内容を確認する（Ｓ１１０）。
購買者は、当該広告に他のウェブサイトで接することもでき、自分が主に利用するオンラインマーケットで接することもできるが、広告内容が購買欲求を生じさせると、購買者は、会員加入したオンラインマーケットにおいて、当該広告主が販売する商品販売リストを検索し（Ｓ１２０）、リストから関心のある商品を選択し（Ｓ１３０）、配送地などを決定し、購買を要求することによって（Ｓ１４０）、配送を受けて（Ｓ１５０）、商品を受け取ることができるようになる（Ｓ１６０）。
【０００４】
上述のように広告に接して購買する一般的な過程では、購買者が商品に対する広告内容を信頼するという前提の下でなされている。しかしながら、配送された商品が広告内容と異なる場合には、このような過程を通じて商品を受け取った購買者は、返品を申し込んで、払い戻しを要求するなどといった煩わしい問題に直面することとなる。
したがって、ウェブサイトでなされている広告が効果的になされるために、広告主は、サンプルを必要とする購買者にサンプルを容易に受け取ることができるようにするとともに受け取ったサンプルに満足する購買者が商品を購買することができるようにするためのオンラインマーケットを含むインターネット広告方法及びシステムが多くのウェブサイトで要求されている。
【発明の概要】
【発明が解決しようとする課題】
【０００５】
したがって、本発明は、前述したような問題点を解決するためになされたものであり、その目的は、広告主の商品に合うターゲッティング広告が効果的になされ、メンバーシップオフライン売場の広報効果はもちろん、顧客訪問の増加が売上げ増加につながるようにするために、ショッピングモールのようなオンラインマーケットなどのウェブページ上でバナー形態の広告に選別された顧客をターゲットとしてメンバーシップオフライン売場で商品サンプルを支給することができるように、広告することができるインターネット広告方法及びシステムを提供することにある。
また、本発明の他の目的は、広告主が直接サンプルを配送しなくても、顧客が所望するメンバーシップオフライン売場で商品サンプルを容易に受け取ることができるようにし、商品サンプルを受けた後に購買しようとする顧客のニーズを便利に充足させることができるように、ウェブページ上の広告を通じてターゲット顧客が発給された認証キーまたはメンバーシップカードなどを利用してメンバーシップオフライン売場で商品サンプルを支給されることができるようにするインターネット広告方法及びシステムを提供することにある。
【課題を解決するための手段】
【０００６】
上記目的を達成するために、本発明の一態様に係るインターネット広告方法は、サンプル支給と関連した情報を含む広告を提供する段階と、前記広告を選択してサンプルを要求する顧客端末に対してオフライン売場で前記広告の商品に対するサンプルを支給するための認証キーを生成する段階を含む。
前記認証キーを生成する段階の前に、前記顧客端末にサンプル申込様式を提供する段階と、前記顧客端末からの前記サンプル申込様式の作成完了通知に応答して前記認証キーを生成する段階とを含む。
前記認証キーを生成する段階は、前記顧客端末から顧客のログイン情報を受信し、ターゲット顧客であるか否かを判断する段階と、前記判断結果によって当該顧客端末に対して、前記顧客端末に対応する前記認証キーを生成する段階を含む。
前記広告を提供する段階の前に、広告主がターゲット顧客をあらかじめ選別して指定するターゲット情報プロファイルをデータベースに登録する段階を含み、前記ターゲット顧客であるか否かを判断する段階は、前記ターゲット情報プロファイルと前記顧客端末からのログイン情報に基づく会員情報とを比較し、前記判断を行う段階を含む。
前記ターゲット情報プロファイルは、サンプル支給対象として定めた顧客の性別、年齢及び端末接続地域のうちいずれか１つ以上の情報を含む。
前記登録する段階は、前記データベースに少なくとも１つ以上のオフライン売場に関する情報を登録する段階を含み、前記認証キーを生成する段階の前に、前記顧客端末に前記オフライン売場に関する情報を、サンプル申込様式を用いて提供し、前記顧客端末を通じて前記サンプル申込様式の作成時に前記広告の商品に対するサンプルを支給するオフライン売場を選択する段階を含む。
前記認証キーを生成する段階の後に、加盟店の端末から前記認証キーに対する確認要求に応答して、認証成功可否を前記加盟店の端末に通知する段階を含む。
前記加盟店の端末は、ＶＡＮ、オープンマーケット販売者管理システム、ＰＯＳ、ＡＲＳ、携帯電話及びバーコードリーダーのうちいずれか１つ以上の手段を用いて前記顧客端末に通知された前記認証キーを入力し、前記認証キーに対する確認要求をサーバーに伝送するか、または、前記いずれか１つ以上の手段を用いてメンバーシップ会員情報を入力し、前記サーバーで管理されている前記認証キーに対する確認要求を前記サーバーに伝送することができる。
前記通知する段階の後に、前記オフライン売場に訪問した顧客に当該サンプルを支給した内訳を含むサンプル支給完了通知を前記加盟店の端末から受信する段階を含む。
前記受信する段階の後に、手数料契約によって広告費を精算する段階を含む。前記手数料契約は、前記認証キーを生成する時、または前記認証キーを認証する時を基礎とした認証キー発給数、または前記オフライン売場でサンプルを支給する時を基礎としたサンプル支給数に基づいて手数料を決定することができる。
前記インターネット広告方法は、販売者の商品登録、購買者の商品購買及び決済された商品に対する配送処理を中継するオンラインマーケットで利用されることができる。
【０００７】
また、本発明の他の態様に係るインターネット広告システムは、サンプル支給と関連した情報を含むターゲット広告を提供するターゲット広告管理部と、前記ターゲット広告を選択してサンプルを要求する顧客端末に対してオフライン売場で前記広告の商品に対するサンプルを支給するための認証キーを生成する認証キー生成部を含む。
前記インターネット広告システムは、広告主がターゲット顧客をあらかじめ選別して指定するターゲット情報プロファイル、少なくとも１つ以上のオフライン売場に関する情報及び前記サンプルの要求のためのサンプル申込様式のうちいずれか１つ以上を管理するデータベースをさらに含み、前記ターゲット広告管理部が、前記顧客端末に提供する前記サンプル申込様式に前記オフライン売場に関する情報を含めて伝送し、前記顧客端末から前記広告の商品に対するサンプルを支給されるオフライン売場が選択されて表示されたサンプル申込様式の作成完了通知を受信すると、前記認証キー生成部が前記認証キーを生成することができる。
前記認証キー生成部は、前記サンプルの要求時に前記顧客端末にログインを要求し、前記要求によって受信される前記顧客端末からのログイン情報に基づく会員情報を前記ターゲット情報プロファイルと比較し、前記ターゲット顧客であると判断すれば、前記ターゲット広告管理部が前記顧客端末に前記サンプル申込様式を提供することができる。
前記インターネット広告システムは、加盟店の端末からの前記認証キーに対する確認要求に応答して、認証成功可否を前記加盟店の端末に通知するサンプル受領認証部をさらに含むことができる。
前記インターネット広告システムは、前記認証が成功する場合に、前記オフライン売場に訪問した顧客に当該サンプルを支給した内訳を含むサンプル支給完了通知を前記加盟店の端末から受信すると、手数料契約によって広告費を精算する広告費精算部をさらに含むことができる。
【発明の効果】
【０００８】
本発明によるインターネット広告方法及びシステムによれば、インターネットショッピングモールのようなオンラインマーケットなどのウェブページ上でバナー形態の広告により選別された顧客をターゲットとしてメンバーシップオフライン売場で商品サンプルを支給することができるように広告することによって、広告主の商品に合うターゲッティング広告が効果的になされ、メンバーシップオフライン売場の広報効果はもちろん、顧客訪問の増加が売上げ増加につながるようにすることができる。
また、本発明によるインターネット広告方法及びシステムによれば、ウェブページ上の広告を通じてターゲット顧客が発給された認証キーまたはメンバーシップカードを利用してメンバーシップオフライン売場で商品サンプルを支給することによって、広告主が直接サンプルを配送しなくても、顧客が所望するメンバーシップオフライン売場で商品サンプルを容易に受け取ることができるようにして、商品サンプルを受けた後に購買しようとする顧客のニーズを便利に充足させることができる。
【図面の簡単な説明】
【０００９】
【図１】オンラインマーケットにおける広告を用いた従来の商品購買方法を説明するための流れ図である。
【図２】本発明の一実施例に係るオンラインマーケットに適用されたインターネット広告システムを説明するための図である。
【図３】本発明の一実施例に係る顧客（購買者）、広告主（販売者）、オンラインマーケット及びメンバーシップ加盟店の関係を説明するための図である。
【図４】本発明の一実施例に係る顧客（購買者）、広告主（販売者）、オンラインマーケット及びメンバーシップ加盟店の関係を説明するための図である。
【図５】サンプル申込様式の一例を説明するための図である。
【図６】広告主端末または加盟店端末の認証キー発給リスト画面の一例を説明するための図である。
【図７】本発明の一実施例に係るインターネット広告方法を説明するための流れ図である。
【図８】本発明の一実施例に係るサンプル受領型ターゲット広告を含むウェブページの一例である。
【発明を実施するための形態】
【００１０】
以下、添付の図面及び添付の図面に記載した内容を参照して、本発明の好ましい実施例を詳細に説明するが、本発明が下記実施例に限定されるものではない。各図面に示された同一の参照符号は、同一の部材を示す。
図２は、本発明の一実施例に係るオンラインマーケットに適用されたインターネット広告システム（２００）を説明するための図である。図２を参照すると、本発明の一実施例に係るインターネット広告システム（２００）は、ネットワーク（２１０）、オンラインマーケットサーバー（２２０）、購買者端末（顧客端末）（２３０）、販売者端末（広告主端末）（２４０）及びメンバーシップ加盟店端末（２５０）を含むことができる。
【００１１】
ここで、ネットワーク（２１０）は、有線または無線インターネットであってもよい。あるいは、有線空中網、無線移動通信網または携帯インターネットなどと統合されたコア網であってもよい。
オンラインマーケットサーバー（２２０）は、このようなネットワーク（２１０）を通じてオンラインショッピングモールを運営し、販売者と購買者間の商品売買を中継するサーバーである。オンラインマーケットサーバー（２２０）には、ネットワーク（２１０）を通じて、販売者端末（２４０）から販売者が販売する多様な商品が登録される。オンラインマーケットサーバー（２２０）は更に、登録された多様な商品をネットワーク（２１０）を通じて購買者端末（２３０）に提供し、購買者が必要な商品を購入することができるようにショッピングモール運営に必要なウェブページを管理する。
オンラインマーケットサーバー（２２０）は、販売商品リストの中から購買者が購入決定して選択した商品に対する決済を処理することができる。また、決済された商品を、購買者に配送することができるように、販売者に決済された商品に対する案内を通知するなどの配送に必要な過程並びに配送中の商品の位置追跡や結果などの照会を処理するとともに必要なウェブページを管理することができる。
【００１２】
本発明では、特に、オンラインマーケットサーバー（２２０）が上記のようなショッピングモールを運営しながら、ウェブページ上でバナー形態の広告で選別された顧客をターゲットとして、メンバーシップオフライン売場で商品サンプルを支給されることができるように広告することができる。これにより、広告主（販売者）の商品に合うターゲッティング広告が効果的になされ、メンバーシップオフライン売場の広報効果はもちろん、顧客訪問の増加が売上げ増加につながるようにしようとする。
【００１３】
このため、本発明の一実施例に係るオンラインマーケットシステム（２００）のオンラインマーケットサーバー（２２０）では、サンプル支給と関連した情報を含むターゲット広告をウェブページ上に提供することができる。このターゲット広告を選択して、サンプルを要求する顧客端末（２３０）に対して、オフライン売場で当該広告の商品に対するサンプルを支給するための認証キー（例えば、アラビア数字、識別可能な文字またはバーコード情報など）を生成することができる。
下記で詳しく記述するように、当該ターゲット広告は、広告主（販売者）が販売する商品と関連した広報のために登録する広告であって、広告主は、広告主端末（２４０）を通じて当該広告内容とともに、ターゲット顧客をあらかじめ選別して指定するターゲット情報プロファイル、オフライン売場に関する情報などもオンラインマーケットサーバー（２２０）に登録することができる。ターゲット情報プロファイルによって広告主が予め定めた性別、年齢帯、接続地域に合致するターゲット顧客は、上記のような認証キーの発給を受けることができ、このような認証キーがメンバーシップ加盟店端末（２５０）を通じて認証される場合に、メンバーシップ加盟店の店員などから当該サンプルを支給されることができるようになる。
【００１４】
購買者端末（２３０）、販売者端末（２４０）及びメンバーシップ加盟店端末（２５０）は、デスクトップＰＣ、ノート・パソコンＰＣなどコンピューターであることが一般的であるが、これに限定されるものではなく、ネットワーク（２１０）を通じてオンラインマーケットサーバー（２２０）に接続し、双方向性商品取引中継サービスを利用することができるすべての種類の有無線通信装置であることができる。
例えば、購買者端末（２３０）、販売者端末（２４０）及びメンバーシップ加盟店端末（２５０）は、無線インターネットまたは携帯インターネットを通じて通信するセルラーフォン、ピーシーエスフォン（PCS phone: Personal Communications Services Phone）、同期式／非同期式ＩＭＴ−２０００（International Mobile Telecommunication-2000）などの移動端末を含み、これら以外にもパームＰＣ（Palm Personal Computer）、個人用デジタル補助機器（ＰＤＡ： Personal Digital Assistant）、スマートフォン（Smart phone）、ワップフォン（WAP phone:  Wireless Application Protocol Phone）、モバイルゲーム機（Mobile Play-Station）などのオンラインマーケットサーバー（２２０）に接続するためのユーザインターフェースを有するすべての有無線家電／通信装置を包括的に意味することができる。
【００１５】
特に、メンバーシップ加盟店端末（２５０）は、認証キーの確認のために、携帯電話のような無線端末以外にも、インターネットや空中網または他の専用線などで連結されたＶＡＮ（Virtual Area Network：仮想地域網システム）、オープンマーケット販売者管理システム、ＰＯＳ（Point of Sale）販売時点情報管理システム）、ＡＲＳ（Automatic Replying System：自動応答システム）及びバーコードリーダーなどのシステムを認証キーの確認に利用することができる。
ＶＡＮ、オープンマーケット販売者管理システム、ＰＯＳ、ＡＲＳ及びバーコードリーダーなどの手段を用いて認証キーを入力するか、メンバーシップカードがある場合に、メンバーシップ会員情報を読み込んでオンラインマーケットサーバー（２２０）に伝送すれば、オンラインマーケットサーバー（２２０）では、データベースに管理されている当該認証キーとの比較を通じて、認証または承認を行うことができる。
ＶＡＮ、ＰＯＳ、ＡＲＳ及びバーコードリーダーは、よく知られている技術なので、詳細な説明を省略するが、オープンマーケット販売者管理システムは、オープンマーケットで販売者の会員情報、商品／広告／ターゲット情報プロファイル登録、販売情報、決済情報、配送情報、広告情報、精算情報など販売者関連情報をオンラインで処理することができるように、オンラインマーケットサーバー（２２０）で運営されるシステムに該当する。
【００１６】
図３は、本発明の一実施例に係る顧客（購買者）、広告主（販売者）、オンラインマーケット及びメンバーシップ加盟店の関係を説明するための図である。
図３を参照すると、本発明では、販売者（広告主）側が広告し、販売するために確保した商品に対して、オンラインマーケットに商品を登録するか、広告内容（例えば、イメージ、動画など）、ターゲット情報プロファイル（例えば、サンプル支給対象として定めた顧客の性別、年齢及び端末接続地域など）、メンバーシップ加盟店に関する情報などを登録すれば、オンラインマーケットは、販売者が登録した商品をショッピングモールに紹介し、購買者と取引がなされるように中継するだけでなく、ターゲット広告をウェブページに提供し、購買者（顧客）がサイトブラウジングの途中に当該ターゲット広告を認知するとともに選択してサンプルを要求した場合には、ログインなどを通じてターゲット顧客に限定して、メンバーシップ加盟店などのオフライン売場で当該広告の商品に対するサンプルを支給するための認証キー（例えば、アラビア数字、識別可能な文字またはバーコード情報など）を発給する。
これにより、購買者側は、受領した認証キーやメンバーシップカードをメンバーシップ加盟店に提出し、サンプル支給を要求する。コンビニエンスストア、スーパーマーケット、文房具店、郵便局、デパート、化粧品取扱店などのオフライン売場で、多様な形態で商品を販売する契約上のメンバーシップ加盟店は、ＶＡＮ、ＰＯＳ、オープンマーケット販売者管理システム、ＡＲＳ及びバーコードリーダーなどの手段を利用した認証を通じて承認される場合に、顧客に当該サンプルを支給することができる。
このとき、メンバーシップ加盟店でのサンプル支給が完了することによって、オンラインマーケットは、当該広告に対して広告主に対して手数料契約による所定の手数料を精算する。
手数料は、オンラインマーケットで認証キーを生成する時またはメンバーシップ加盟店からの認証要求によって認証キーを認証する時を基礎とした認証キー発給数またはメンバーシップ加盟店でサンプルを支給する時を基礎としたサンプル支給数などに基づいて決定されることができる。
【００１７】
このように、本発明では、ウェブページ上の広告を通じてターゲット顧客が発給された認証キーを利用して、メンバーシップオフライン売場で商品サンプルを支給することによって、広告主が直接サンプルを配送しなくても、顧客が所望するメンバーシップオフライン売場で商品サンプル（例えば、農産物、化粧品、食料品、おかず、家電製品、その他顧客がサンプルを必要とするすべての工産品、農産品、サービスなどを包括する）を容易に受け取ることができるようにすることができ、顧客は、商品サンプルを受け取った後に、品質などに満足すれば、オンラインマーケットを介した購買またはオフライン売場を介した購買が可能なので、関連商品に関心がある顧客のニーズを便利に充足させることができる。
【００１８】
図４は、本発明の一実施例に係るターゲット広告を運営するウェブサーバーを例示するオンラインマーケットサーバー（２２０）のブロック図である。
図４を参照すると、本発明の一実施例に係るオンラインマーケットサーバー（２２０）は、制御部（４１０）、購買者情報ＤＢ（４１１）、販売者情報ＤＢ（４１２）、通信インターフェース（４２０）、取引中継部（４３０）、ターゲット広告管理部（４４０）、認証キー生成部（４５０）、サンプル受領認証部（４６０）、広告費精算部（４７０）及びメッセージ発送部（４８０）を含む。
制御部（４１０）は、オンラインマーケットサーバー（２２０）の上記のような各構成要素の全般的な制御を行うプロセッサに該当し、基本的にショッピングモール運営のために販売者の商品登録、購買者の商品購買及び決済された商品に対する配送処理などを制御することができる。特に、サンプル支給と関連した情報を含む上記のようなターゲット広告をウェブページ上に提供するように制御し、当該ターゲット広告を選択してサンプルを要求する顧客端末（２３０）に対して、メンバーシップ加盟店で当該広告の商品に対するサンプルを支給するための認証キーを生成するように制御する。
【００１９】
販売者端末（広告主端末）（２４０）は、ネットワーク（２１０）を通じてオンラインマーケットサーバー（２２０）に接続することができ、通信インターフェース（４２０）による有無線通信処理によってオンラインマーケットサーバー（２２０）の商品売買中継サービスを利用することができ、本発明によるターゲット広告サービスを利用することができる。販売者は、販売者端末（２４０）を通じてオンラインマーケットサーバー（２２０）のサービス利用顧客として会員加入することができ、会員加入された販売者が登録する販売会員情報（例えば、販売者ＩＤ、パスワード、連絡先、販売商品に対する価格、商品ブランド、商品の特徴など）が販売者情報ＤＢ（４１２）に格納されて管理されることができる。
また、ターゲット広告サービスを利用するために販売者が登録する広告内容（例えば、イメージ、動画など）、ターゲット情報プロファイル（例えば、サンプル支給対象として定めた顧客の性別、年齢及び端末接続地域など）、メンバーシップ加盟店に関する情報なども販売者情報ＤＢ（４１２）に格納されて管理されることができる。
【００２０】
また、購買者端末（顧客端末）（２３０）も、ネットワーク（２１０）を通じて、オンラインマーケットサーバー（２２０）に接続することができ、通信インターフェース（４２０）による有無線通信処理によって、オンラインマーケットサーバー（２２０）の商品売買中継サービスを利用することができる。
購買者は、購買者端末（２３０）を通じて、オンラインマーケットサーバー（２２０）のサービス利用顧客として会員加入することができ、会員加入された購買者が登録する購買会員情報（例えば、ログインのための購買者ＩＤ、パスワード、健康保険番号、連絡先、住所、市場かご情報、入札中の商品情報、落札された商品情報、商談中の商品情報及び決済商品に対する商品情報、配送情報、購買決定（受領確認）可否情報など）が購買者情報ＤＢ（４１１）に格納される。これら以外にも、本発明によるターゲット広告を利用して、認証キーを発給された場合に、当該広告に対応する認証キー情報が購買者情報ＤＢ（４１１）に格納されて管理されることによって、いつでも照会され、確認されることができるようにすることができる。
【００２１】
取引中継部（４３０）は、販売者によって登録された商品の売買を中継するために、販売者情報ＤＢ（４１２）に格納された販売商品に関する情報を、購買者端末（２３０）に提供し、商品に対する名称や内容を基礎にして購買者端末（２３０）からの検索語に対する当該商品を検索し、購買者端末（２３０）に当該リストを提供することもできる。購買者が選択した商品に対して決済を要求されると、取引中継部（４３０）は、購買者が選択した販売者の商品に対する決済画面情報を購買者端末（２３０）に提供し、認証過程を経て当該決済を行うこともできる。
特に、ターゲット広告管理部（４４０）は、広告主が上記のように登録したターゲット広告、すなわちサンプル支給と関連した情報を含む広告（サンプル受領型ターゲット広告）をウェブページ上に提供することができる。
認証キー生成部（４５０）は、当該ターゲット広告を選択してサンプルを要求する顧客端末（２３０）に対して、メンバーシップ加盟店などのオフライン売場で当該広告の商品に対するサンプルを支給するための認証キーを生成することができる。認証キーとして、所定の乱数生成手段を利用してアラビア数字、識別可能な文字またはバーコード情報などを提供することができる。認証キーは、メンバーシップ加盟店で携帯電話などの端末に直接表示されるか、紙などに印刷物の形態で提示されることができるように、メッセージ発送部（４８０）によって顧客端末（２３０）に伝送されることができる。あるいは、認証キーを購買者情報ＤＢ（４１１）または販売者情報ＤＢ（４１２）に格納管理し、オンラインマーケットの運営者が既に発給したメンバーシップカードをメンバーシップ加盟店で提示する場合に、当該顧客の認証キーとの比較を通じてサンプル支給に対する認証または承認が行われるようにすることもできる。
【００２２】
顧客端末（２３０）のウェブページ上に当該ターゲット広告が提供される間に、当該ターゲット広告を選択してサンプルを要求する顧客端末（２３０）に対して、ターゲット広告管理部（４４０）は、顧客端末（２３０）のウェブページ上に提供される図５に示すようなサンプル申込様式にメンバーシップ加盟店に関する情報を含めて伝送することができる。顧客端末（２３０）から広告の商品に対するサンプルを支給するメンバーシップ加盟店（例えば、江南駅加盟店）が選択され、表示された図５に示すようなサンプル申込様式の作成完了通知を受信すると、認証キー生成部（４５０）が認証キーを生成することができる。このようなサンプル申込様式は、販売者（広告主）が様式を作成し、販売者情報ＤＢ（４１２）に登録することもでき、あるいは運営者がサーバー（２２０）の他のデータベースなどに格納管理することもできる。
ここで、図５に示すように、メンバーシップ加盟店を選択して通知することを例に取ったが、これに限定されず、図５に示すような様式において、メンバーシップ加盟店を選択するフィールドを無くし、リストのうちいずれの加盟店でもサンプルを受領するようにすることもできる。この時、ターゲット顧客（例えば、性別、年令別、または地域別などに特定された顧客）にだけサンプルを支給することができるようにするために、当該ターゲット広告を選択してサンプルを要求する顧客端末（２３０）に対して、認証キー生成部（４５０）は、顧客端末（２３０）にログインを要求することができ、このような要求によって受信される顧客端末（２３０）からのログイン情報に基づく会員情報と、データベースに管理されているターゲット情報プロファイルとを比較し、ターゲット顧客であるか否かを判断することができる。これにより、広告主の特定のターゲット顧客に該当すれば、ターゲット広告管理部（４４０）は、上記のようなサンプル申込様式を顧客端末（２３０）に提供して作成するようにすることができる。会員情報（すなわち購買者が会員加入時にデータベースに登録した性別、健康保険番号、住所など）に基づいてログインした顧客がターゲット情報プロファイルに定めた性別、年令別、または地域別要求条件を満足するか否かを判断することができる。ここで、地域は、顧客端末（２３０）にインターネット利用のために付与されたＩＰ（Internet Protocol）アドレスなどを把握して判断されることもできる。
【００２３】
一方、サンプル受領認証部（４６０）は、上記のように生成された認証キーに対してメンバーシップ加盟店端末（２５０）から確認要求を受けると、これに応答して認証成功可否をメンバーシップ加盟店端末（２５０）に通知することができる。
顧客が受領した認証キーがメンバーシップ加盟店で提示される場合に、インターネットを利用することができるコンピューター端末、またはそれに接続されるか、独立した専用端末形態のＶＡＮ、オープンマーケット販売者管理システム、ＰＯＳ、ＡＲＳ及びバーコードリーダーなどの手段などのメンバーシップ加盟店端末（２５０）を通じて、認証キーを入力することができる。あるいは、顧客がメンバーシップカードを提示する場合に、上記のような手段を用いて、メンバーシップ会員情報（例えば、ログイン情報、またはオンラインマーケット会員情報を知ることができる情報）を読み込んでオンラインマーケットサーバー（２２０）に伝送することができる。これにより、オンラインマーケットサーバー（２２０）のサンプル受領認証部（４６０）では、上記のように入力された認証キーまたはメンバーシップ会員情報をデータベース（購買者情報ＤＢまたは販売者情報ＤＢ）に管理されている当該認証キーとの比較を通じて認証または承認を行うことができる。
【００２４】
上記のような処理を通じて、サンプル受領認証部（４６０）が認証成功を通知する場合に、メンバーシップ加盟店が、当該サンプルを顧客に支給し、メンバーシップ加盟店に訪問した顧客に支給した当該サンプルの内訳をメンバーシップ加盟店端末（２５０）に入力すると、メンバーシップ加盟店端末（２５０）は、入力されたサンプルの内訳を含むサンプル支給完了通知を伝送することができる。これにより、上記のようなサンプル支給完了通知をメンバーシップ加盟店端末（２５０）から受信すれば、広告費精算部（４７０）は、手数料契約によって当該広告に対する広告費を精算することができる。
手数料は、オンラインマーケットで認証キーを生成する時またはメンバーシップ加盟店からの認証要求によって認証キーを認証する時を基礎とした認証キー発給数またはメンバーシップ加盟店でサンプルを支給する時を基礎としたサンプル支給数などに基づいて決定されることができる。
【００２５】
販売者またはメンバーシップ加盟店が、当該端末を通じてサーバー（２２０）に接続し、所定の手続によって要求することによって、ターゲット広告管理部（４４０）を通じて、図６に示すような認証キー発給リスト画面を提供することができる。メンバーシップ加盟店は、図６に示すような認証キー発給リスト画面に認証キーを入力し、認証キーに対する確認要求をすることができ、サンプル受領認証部（４６０）が認証成功を通知する場合に、「認証キー確認可否」欄にチェック表示など所定の確認フラッグが表示されることができる。「認証キー確認可否」欄に確認フラッグが表示される場合に、メンバーシップ加盟店は、顧客に当該サンプルを支給することができる。販売者または広告主もやはり、図６に示すような認証キー発給リスト画面を通じて、認証キーの発給可否やサンプルの支給可否を確認することができる。
【００２６】
以下、図７の流れ図を参照して、本発明の一実施例に係るインターネット広告方法をさらに詳しく説明する。
まず、販売者または広告主は、販売者端末（広告主端末）（２４０）を通じてオンラインマーケットサーバー（２２０）に接続し、販売者情報ＤＢ（４１２）に販売商品に対する価格、商品ブランド、商品の特徴などだけでなく、ターゲット広告サービスを利用するためにターゲット広告内容（例えば、イメージ、動画など）、ターゲット情報プロファイル（例えば、サンプル支給対象として定めた顧客の性別、年齢及び端末接続地域など）、メンバーシップ加盟店に関する情報（リスト）なども登録することができる（Ｓ７１０）。
また、販売者または広告主は、顧客（購買者）が支給されるサンプル（例えば、大きい商品を縮小して作ったサンプルまたは農産物のように重さで販売される多量の品物のうち一部のサンプルなど）をメンバーシップ加盟店に供給する（Ｓ７１１）。
購買者または顧客は、購買者端末（２３０）を通じて、オンラインマーケットサーバー（２２０）で商品売買を扱う多様な販売者の商品を見回す（Ｓ７２０）。購買者は、関心ある商品の価格、長所などを比較するために多くの広告に接するようになり、特に、広告主が上記のように登録したターゲット広告、すなわちサンプル支給と関連した情報を含む広告サンプル受領型ターゲット広告に、ウェブページ上で接することができる（Ｓ７３０）。
【００２７】
ウェブページ上に提供されるターゲット広告は、図８の左側端部の１つの広告のように、サンプルを受け取ることができることを通知する情報（例えば、「サンプルを受け取ってください」のような情報）を含むことができる。顧客は、これをクリックすることによって、サンプルを要求することができる（Ｓ７３１）。
顧客からのサンプル要求を受けると、ターゲット顧客（例えば、性別、年令別、または地域別などに特定された顧客）にだけサンプルを支給されることができるようにするために、当該ターゲット広告を選択してサンプルを要求する顧客端末（２３０）に対して、認証キー生成部（４５０）は、顧客端末（２３０）にログインを要求することができる（Ｓ７３２）。
認証キー生成部（４５０）は、このような要求によって受信される顧客端末（２３０）からのログイン情報に基づく会員情報をデータベースに管理されているターゲット情報プロファイルと比較し、ターゲット顧客であるか否かを判断することができる（Ｓ７４０）。
これにより、広告主の特定のターゲット顧客に該当しなければ、ターゲット広告管理部（４４０）は、顧客端末（２３０）に「サンプルを受領することができません」のようなメッセージを伝送することができ、広告主の特定のターゲット顧客に該当すると、ターゲット広告管理部（４４０）は、図５に示すようなサンプル申込様式を顧客端末（２３０）に提供して作成するようにすることができる（Ｓ７４２）。
これにより、顧客は、顧客端末（２３０）を通じて図５に示す様式に必要なフィールドを選択したり、入力したりする方法で、特に、広告の商品に対するサンプルを支給するメンバーシップ加盟店（例えば、江南駅加盟店など）を選択して、サンプル申込様式を作成し、「サンプルを受け取りますか？」のように表示されたタグをクリックし、サンプル申込様式の作成完了通知を伝送することができる。ここで、顧客端末（２３０）がメンバーシップ加盟店を選択して通知することを例に取ったが、これに限定されず、図５に示すような様式において、メンバーシップ加盟店を選択するフィールドを無くし、リストのうちいずれの加盟店でサンプルを受領するようにすることもできる。
【００２８】
これにより、認証キー生成部（４５０）は、当該ターゲット広告を選択してサンプルを要求した当該顧客端末（２３０）に対して、メンバーシップ加盟店などのオフライン売場で当該広告の商品に対するサンプルを支給するための認証キーを生成することができる（Ｓ７４３）。
認証キーは、所定の乱数生成手段を利用してアラビア数字、識別可能な文字またはバーコード情報などを用いて提供されることができる。認証キーは、メンバーシップ加盟店で携帯電話など端末に直接表示されるか、紙などの印刷物の形態で提示されることができるようにメッセージ発送部（４８０）によってウェブページ上に表示される応答情報形態、電子メール形態またはＳＭＳ（Short Message Service）、ＬＭＳ（Long Message Service）、ＭＭＳ（Multimedia Message Service）などの文字メッセージ形態などで顧客端末（２３０）に伝送されることができる（Ｓ７４４）。または、認証キーを購買者情報ＤＢ（４１１）または販売者情報ＤＢ（４１２）に格納管理し、オンラインマーケットの運営者が既に発給したメンバーシップカードをメンバーシップ加盟店で提示する場合に、当該顧客の認証キーとの比較を通じてサンプル支給に対する認証または承認が行われるようにすることもできる。
【００２９】
一方、認証キーを発給された顧客は、サンプルを支給されるために、当該メンバーシップ加盟店で認証キーまたはメンバーシップカードを提示することができる（Ｓ７５０）。
これにより、メンバーシップ加盟店端末（２５０）を通じて入力される認証キーまたはメンバーシップ会員情報を入力するか読み込んで（Ｓ７５１）、認証キーに対して確認を要求することができる（Ｓ７５２）。
顧客が受領した認証キーがメンバーシップ加盟店で提示される場合に、インターネットを利用することができるコンピューター端末、またはそれに接続されるか、独立した専用端末形態のＶＡＮ、オープンマーケット販売者管理システム、ＰＯＳ、ＡＲＳ及びバーコードリーダーなどの手段などのメンバーシップ加盟店端末（２５０）を通じて認証キーを入力することができ、または、顧客がメンバーシップカードを提示する場合に上記のような手段を用いてメンバーシップ会員情報（例えば、ログイン情報、またはオンラインマーケット会員情報を知ることができる情報）を読み込んでオンラインマーケットサーバー（２２０）に伝送することができる。
【００３０】
サンプル受領認証部（４６０）は、認証キーに対してメンバーシップ加盟店端末（２５０）から上記のような確認要求を受けると、上記のように入力された認証キーまたはメンバーシップ会員情報をデータベース（購買者情報ＤＢまたは販売者情報ＤＢ）に管理されている当該認証キーとの比較を通じて認証または承認を行うことができる（Ｓ７５３）。
認証成功可否、例えば、認証失敗時に「サンプルを受領することができません」のようなメッセージ（Ｓ７５４）、または認証成功時に「認証成功」のようなメッセージやその他承認情報をメンバーシップ加盟店端末（２５０）に通知することができる（Ｓ７５５）。
【００３１】
上記のような処理を通じてサンプル受領認証部（４６０）が認証成功を通知する場合に、メンバーシップ加盟店では、当該サンプルを顧客に支給する（Ｓ７６０）。
その後、メンバーシップ加盟店の店員などがメンバーシップ加盟店に訪問した顧客に当該サンプルを支給した内訳（例えば、図６に示すようなサンプル支給可否の確認など）をメンバーシップ加盟店端末（２５０）に入力すれば、メンバーシップ加盟店端末（２５０）は、これを含むサンプル支給完了通知をサーバー（２２０）に伝送することができる（Ｓ７６１）。
これにより、上記のようなサンプル支給完了通知をメンバーシップ加盟店端末（２５０）から受信すると、広告費精算部（４７０）は、手数料契約によって当該広告に対する広告費を精算し、当該内訳を広告主端末（２４０）に通知することができる（Ｓ７７０）。
手数料は、オンラインマーケットで認証キーを生成する時またはメンバーシップ加盟店からの認証要求によって認証キーを認証する時を基礎とした認証キー発給数、またはメンバーシップ加盟店でサンプルを支給する時を基礎としたサンプル支給数などに基づいて決定されることができる。
【００３２】
本明細書で開示された方法及びシステムで使用される機能は、コンピューターで読み取り可能な記録媒体にコンピューターが読み出すことができるコードで具現することが可能である。
コンピューターで読み取り可能な記録媒体は、コンピューターシステムによって読み出されることができるデータが格納されるすべての種類の記録装置を含む。コンピューターで読み取り可能な記録媒体の例としては、ＲＯＭ、ＲＡＭ、ＣＤ−ＲＯＭ、磁気テープ、フロッピーディスク（登録商標）、光データ格納装置などを挙げることができ、また、キャリアウエーブ（例えばインターネットを介した伝送）の形態で具現されるものも含む。また、コンピューターで読み取り可能な記録媒体は、ネットワークで連結されたコンピューターシステムに分散され、分散方式でコンピューターが読み出すことができるコードが格納されて実行されることができる。
【００３３】
以上のように、本発明は、限定された実施例と図面によって説明されたが、本発明は、上記実施例に限定されるものではなく、本発明の属する分野における通常の知識を有する者ならこのような記載から多様な修正及び変形が可能である。したがって、本発明の範囲は、説明された実施例に限定されて定められるべきではなく、後述する特許請求の範囲だけでなく、この特許請求の範囲と均等なものなどによって定められるべきである。
【符号の説明】
【００３４】
２１０・・・ネットワーク
２２０・・・オンラインマーケットサーバー
２３０・・・購買者端末
２４０・・・販売者端末（広告主端末）
２５０・・・メンバーシップ加盟店端末
【図１】
2009238220.tif 000003
【図２】
2009238220.tif 000004
【図３】
2009238220.tif 000005
【図４】
2009238220.tif 000006
【図５】
2009238220.tif 000007
【図６】
2009238220.tif 000008
【図７】
2009238220.tif 000009
【図８】
2009238220.tif 000010